(57)【要約】【課題】  アクセサリーの装着状態を容易に把握することを可能とするとともに、ディスプレイ台のデザイン性を損なうことなく、アクセサリーの固定状態を維持する。【解決手段】  ディスプレイ台１は、自立可能に設置されるディスプレイ板２と、ディスプレイ板のディスプレイ面内において、表裏に貫通する挿通孔５ａ、５ｂとを備え、ディスプレイ面２ａにはペンダント４が装着される対象物が表示され、挿通孔５ａ、５ｂは、ディスプレイ台１においてディスプレイ面２ａに表示された対象物表示３に対してペンダント４が装着された状態と対応する箇所に設けられている。【選択図】  図１
0003107343.tif 000002
【実用新案登録請求の範囲】
【請求項１】
アクセサリーのディスプレイ台であって、
自立可能に設置されるディスプレイ板と、
前記ディスプレイ板のディスプレイ面内において、表裏に貫通する挿通孔と
を備え、
前記ディスプレイ面には、前記アクセサリーが装着される対象物が表示され、
前記挿通孔は、前記ディスプレイ台において、前記ディスプレイ面に表示された対象物に対して前記アクセサリーが装着された状態と対応する箇所に設けられている
ことを特徴とするディスプレイ台。
【請求項２】
前記ディスプレイ板は、透過性を有するガラス材で形成され、
前記対象物の表示は、前記ガラスに施されたエッチングにより形成されている
ことを特徴とする請求項１に記載のディスプレイ台。
【請求項３】
前記アクセサリーは環状を形成可能な鎖部を有するとともに、形成された該環状は、その径が調節可能となっており、
前記挿通孔は少なくとも２個設けられ、
前記鎖部を前記挿通孔に挿通して掛け回し、その径を調整しつつ前記環状を形成することによって、前記アクセサリーが前記ディスプレイ板に係止される
ことを特徴とする請求項１又は２に記載のディスプレイ台。
【考案の詳細な説明】
【技術分野】
【０００１】
本考案は、ネックレスやブレスレッド、ピアス、イヤリング等のアクセサリーを展示等する際に用いられるディスプレイ台に関する。
【背景技術】
【０００２】
従来、ネックレスやブレスレッド、ペンダント等のアクセリーを展示するためのディスプレイ台として、特許文献１に開示されたものがある。
【０００３】
この特許文献１に開示された技術では、ディスプレイ台として、シート板の上部に７〜１２ｃｍ前後の間隔を有した溝を設けるとともに、側面に切込み等を設ける。そして、この特許文献１に開示されたディスプレイ台によれば、例えば首飾りの装飾中心部を正面中央にして、左右の鎖部をそれぞれ溝に掛け、鎖部を裏側に回しその先端部をそれぞれの側溝に差込み固定して、セットする。
【特許文献１】特開平１０−２１１０８４号公報
【考案の開示】
【考案が解決しようとする課題】
【０００４】
しかしながら、上述した特許文献１に開示された技術では、ディスプレイ台を構成するシート板が、アクセサリーと、そのアクセサリーが装着される対象物との関係を表示するものではないため、アクセサリーの装着状態を把握することが困難であるという問題があった。
【０００５】
また、上記技術では、アクセサリーの鎖部をそれぞれ溝に掛け、鎖部を裏側に回しその先端部を、それぞれの側溝に差込み固定してセットする構成であるため、先端部が側溝を介して正面に露出するため、ディスプレイ台そのもののデザイン性が損なわれるという問題があった。
【０００６】
さらに、上記技術では、上部の溝及び側溝に鎖部の先端を差込固定するのみで、アクセサリーをセットするものであるため、振動等によりアクセサリーが外れやすいという問題があった。
【０００７】
そこで、本考案は、以上の点に鑑みてなされたもので、アクセサリーの装着状態を容易に把握することを可能とするとともに、ディスプレイ台のデザイン性を損なうことなく、アクセサリーの固定状態を維持することができるディスプレイ台を提供することをその課題とする。
【課題を解決するための手段】
【０００８】
上記課題を解決するために、本考案は、アクセサリーのディスプレイ台であって、自立可能に設置されるディスプレイ板と、ディスプレイ板のディスプレイ面内において、表裏に貫通する挿通孔とを備え、ディスプレイ面にはアクセサリーが装着される対象物が表示され、挿通孔は前記ディスプレイ台において、ディスプレイ面に表示された対象物に対してアクセサリーが装着された状態と対応する箇所に設けられている。
【０００９】
このような本考案によれば、前記ディスプレイ台において、ディスプレイ面に表示された対象物に対してアクセサリーが装着された状態と対応する箇所に挿通孔が設けられ、この挿通孔にアクセサリーを係止することができるため、アクセサリーの装着状態を容易に把握することが可能となる。さらに、ディスプレイ面にはアクセサリーが装着される対象物が表示されているため、展示されるアクセサリーと相俟って、デザイン性を向上させることができる。さらに、アクセサリーは挿通孔に係止することができるため、溝に引っ掛ける方式比較して、振動等によりアクセサリーが外れ難い。
【００１０】
上記考案において、ディスプレイ板は、透過性を有するガラス材で形成され、対象物の表示は、ガラスに施されたエッチングにより形成されていることが好ましい。この場合には、ガラス材の透過性と、エッチングとにより、上述したディスプレイ台としての機能を維持しつつ、デザイン性をより向上させることができる。
【００１１】
上記考案において、アクセサリーは環状を形成可能な鎖部を有するとともに、形成された環状は、その径が調節可能となっており、挿通孔は少なくとも２個設けられ、鎖部を挿通孔に挿通して掛け回し、その径を調整しつつ環状を形成することによって、アクセサリーがディスプレイ板に係止されることが好ましい。  この場合には、アクセサリーの鎖部を挿通孔に挿通して掛け回し、環状を形成することによって、アクセサリーの係止状態をより確実なものとすることができ、また、環状の径を調節することによって、ディスプレイ面に表示された対象物との位置関係をより正確に再現することが可能となり、アクセサリーの装着状態をより正確に把握することができる。
【考案の効果】
【００１２】
以上説明したように本考案のディスプレイ台によれば、対象物が表示されたディスプレイ面に設けられた挿通孔にアクセサリーの鎖部を挿通して係止することによって、アクセサリーの装着状態を容易に把握することを可能とするとともに、ディスプレイ台のデザイン性を損なうことなく、アクセサリーの固定状態を維持することができる。
【考案を実施するための最良の形態】
【００１３】
（ディスプレイ台の構成）
本考案の実施形態について、図面を参照しつつ説明する。図１は、本実施形態に係るディスプレイ台の正面図であり、図２は、その正面側から見た斜視図であり、図３は、背面側から見た斜視図である。
【００１４】
本実施形態に係るディスプレイ台１は、ペンダント４を展示するためのものであって、自立可能に設置されるディスプレイ板２と、ディスプレイ板２のディスプレイ面２ａ内において表裏に貫通する挿通孔５ａ、５ｂとを備えている。
【００１５】
ディスプレイ板２は、その下部に着脱可能に取り付けられた台座２ｂによって傾斜された状態で自立される板材であり、本実施形態では、透明なガラス材で形成されている。このディスプレイ板２の正面のディスプレイ面２ａには、ペンダント４が装着される対象物として女性の頸部がガラスエッチングによって表示（以下、「対象物表示３」とする。）され、前記挿通孔５ａ、５ｂはディスプレイ台１において、ディスプレイ面２ａに表示された対象物に対してペンダント４が装着された状態と対応する箇所に設けられている。すなわち、挿通孔５ａ、５ｂは、ディスプレイ面２ａにおいて表示された頸部の上方（頸の付け根の辺り）に対になるように設けられている。
【００１６】
本実施形態において、ペンダント４は、ペンダント部４ｂと、このペンダント部４ｂに連結され、環状を形成可能な鎖部４ａとを有している。この鎖部４ａは、連結部４ｃによって環状を形成し、この環状は、連結部４ｃの連結位置を変異させることによって、その径が調節可能となっている。
【００１７】
そして、連結部４ｃを分離させた状態で鎖部４ａを挿通孔５ａ及び５ｂにそれぞれ挿通して掛け回し、その径を調整しつつ環状を形成することによって、ペンダント４はディスプレイ板２に係止される。
【００１８】
（変更例）
上述した実施形態では、アクセサリーとしてペンダントを採用し、このペンダントが装着される対象物を女性の頸部としたが、本考案はこれに限定されるものではなく、例えば図４に示すように、手首に装着されるブレスレッド等についても、本考案を適用することができる。具体的には、ブレスレッド４１が装着される対象物として女性の手を対象物表示３として表し、その手首に位置するように、挿通孔５ａ及び５ｂを設ける。
【００１９】
（作用・効果）
このような本実施形態及び変更例に係るディスプレイ台１によれば、ディスプレイ面２ａの対象物表示３において、ペンダント４が頸部に装着された状態と対応する箇所に挿通孔５ａ及び５ｂが設けられ、この挿通孔５ａ及び５ｂにペンダント４等を係止することができるため、ペンダント４の装着状態を容易に把握することが可能となる。さらに、ディスプレイ面２ａには、対象物表示３として女性の頸部が表示されているため、展示されるペンダント４と相俟って、デザイン性を向上される。さらに、ペンダント４は挿通孔５ａ及び５ｂに係止することができるため、振動等によりアクセサリーが外れ難い。
【００２０】
特に、本実施形態におけるディスプレイ板２は、透過性を有するガラス材で形成され、対象物表示は、ガラスに施されたエッチングにより形成されていることから、ガラス材の透過性と、エッチングとにより、上述したディスプレイ台としての機能を維持しつつ、デザイン性をより向上させることができる。
【００２１】
この場合には、ペンダント４の鎖部４ａを挿通孔５ａ及び５ｂに挿通して掛け回し、環状を形成することによって、アクセサリーの係止状態をより確実なものとすることができ、また、環状の径を調節することによって、ディスプレイ面に表示された対象物との位置関係をより正確に再現することが可能となり、ペンダント４の装着状態をより正確に把握することができる。
【図面の簡単な説明】
【００２２】
【図１】実施形態に係るディスプレイ台を示す正面図である。
【図２】実施形態に係るディスプレイ台を正面側から見た斜視図である。
【図３】実施形態に係るディスプレイ台を背面側から見た斜視図である。
【図４】変更例に係るディスプレイ台を示す正面図である。
【符号の説明】
【００２３】
１…ディスプレイ台
２…ディスプレイ板
２ａ…ディスプレイ面
２ｂ…台座
３…対象物表示
４…ペンダント
４ａ…鎖部
４ｂ…ペンダント部
４ｃ…連結部
５ａ，５ｂ…挿通孔
【図１】
0003107343.tif 000003
【図２】
0003107343.tif 000004
【図３】
0003107343.tif 000005
【図４】
0003107343.tif 000006